(57)【要約】      （修正有）【課題】水中糸に損傷を与えることなく、所望の長さの水中糸をセットしたうえで、空中糸や中ハリス、目印糸等を編込み可能であり、作業性を向上させうる鮎釣り仕掛け作成装置を提供する。【解決手段】基板２０と、基板２０上に装備され、糸を係止可能、且つ基板に対して回動可能な糸係止部材３０と、基板２０上に装備され、糸の両端を保持可能、且つ、基板２０に対してスライド自在な糸保持部材４０と、糸に張力を与えるための糸押圧部材５０とを基板２０上に備えて構成する。また、糸保持部材４０を基板２０に対する取付部４１と糸を保持するための挟持部４２より構成し、挟持部４２を取付部４１に対して揺動可能に構成する。【選択図】図１
0003198316.tif 000002
【実用新案登録請求の範囲】
【請求項１】
基板（２０）と、
基板（２０）上に装備され、糸を係止可能な糸係止部材（３０）と、
基板（２０）上に装備され、糸の両端を保持可能な糸保持部材（４０）と、
により成る鮎釣り仕掛け作成装置。
【請求項２】
糸の張力を与えるための糸押圧部材（５０）を基板（２０）上に備えた請求項１に記載の鮎釣り仕掛け作成装置。
【請求項３】
糸係止部材（３０）を基板（２０）に対して回動可能に設けた請求項１又は請求項２に記載の鮎釣り仕掛け作成装置  
【請求項４】
糸保持部材（４０）を基板（２０）に対してスライド自在に設けた請求項１乃至請求項３いずれかに記載の鮎釣り仕掛け作成装置。
【請求項５】
糸保持部材（４０）を基板（２０）に対する取付部（４１）と糸を保持するための挟持部（４２）より構成し、挟持部（４２）を取付部（４１）に対して揺動可能に設けた請求項１乃至請求項４いずれかに記載の鮎釣り仕掛け作成装置。
【考案の詳細な説明】
【技術分野】
【０００１】
本考案は、鮎釣り用の仕掛けを作成するための装置であり、より詳しくは空中糸と水中糸の編み込み、水中糸と中ハリスの編み込み、水中糸と目印糸との編み込み等に使用する鮎釣り仕掛け作成装置に関するものである。
【背景技術】
【０００２】
図６は一般的な鮎釣り用仕掛けを示すものである。図７において、釣竿１の先端には０．８〜２号のナイロン糸からなる空中糸２が接続されている。空中糸２の下端は０．０５〜０．１５号程度の極細の金属糸、複合メタル糸、ナイロン糸等の糸からなる水中糸３に、接合部３ａにおいて編み付けられ接続されている。水中糸３には複数の目印糸９が編み込まれている。水中糸３の他端には０．３〜０．４号程度の中ハリス４が、接合部３ｂにおいて編みこまれ接続されている。中ハリス４には鼻カン仕掛け５、逆針６、掛け針７等が接続されている。鼻カン仕掛け５にはおとり鮎８が取り付けられるものである。
【０００３】
かように鮎釣り用仕掛けにおいては、糸同士の接合、あるいは糸に対する仕掛けの接合が必要になる。かかる接合を容易に行うための装置として下記のようなものがある。
【０００４】
特許文献１には折畳み自在な基板上に、糸を押圧挟持することで糸を固定する糸保持具を備えた鮎釣り仕掛け糸張り装置が開示されている。
【０００５】
特許文献２には、ライン糸を挟持して取り付ける２本の取り付けバーを備え、当該取り付けバーの一方を揺動を可能にすることでライン糸の張力の設定を変えられる編み込み装置が開示されている。
【先行技術文献】
【特許文献】
【０００６】
【特許文献１】特開２００８−１９３９４５号公報
【特許文献２】登録実用新案第３１１２４７１号公報
【考案の概要】
【考案が解決しようとする課題】
【０００７】
水中糸においては水の抵抗を少なくし、おとり鮎の泳ぎを良くするために、極細の糸が使用される。かかる極細の水中糸と空中糸や中ハリス、目印糸等を編込み・接続することは、非常に手間がかかるものである。
【０００８】
そこで上記特許文献記載の発明のように水中糸等を引張った状態で挟持し、作業性を高める装置が汎用されている。
【０００９】
しかし、極細の水中糸を挟持して張力を与えると、極細ゆえに挟持部位において損傷を受けやすい。
【００１０】
そこで本考案は、水中糸に損傷を与えることなく、空中糸や中ハリス、目印糸等を編込み可能であり、作業性を向上させうる鮎釣り仕掛け作成装置を提供することを目的とする。
【課題を解決するための手段】
【００１１】
上記の目的を達成する本考案の構成は次の通りである。
【００１２】
（１）  請求項１に記載の考案は、基板と、基板上に装備され、糸を係止可能な糸係止部材と、基板上に装備され、糸の両端を保持可能な糸保持部材とにより構成した。
【００１３】
（２）  請求項２に記載の考案は、請求項１記載の鮎釣り仕掛け作成装置において、糸の張力を与えるための糸押圧部材を基板上に備えて構成した。
【００１４】
（３）  請求項３に記載の考案は、請求項１又は請求項２に記載の鮎釣り仕掛け作成装置において、糸係止部材を基板に対して回動可能に構成した。
【００１５】
（４）  請求項４に記載の考案は、請求項１乃至請求項３いずれかに記載の鮎釣り仕掛け作成装置において、糸保持部材を基板に対してスライド自在に構成した。
【００１６】
（５）  請求項５に記載の考案は、請求項１乃至請求項４いずれかに記載の鮎釣り仕掛け作成装置において、糸保持部材を基板に対する取付部と糸を保持するための挟持部より構成し、挟持部を取付部に対して揺動可能に構成した。
【考案の効果】
【００１７】
上記のように構成される本考案が、如何に作用して課題を解決するかを図面を参照しながら概説する。
【００１８】
図１は本考案に係る鮎釣り仕掛け作成装置１０の使用状態を示すものである。基板２０上に糸係止部材３０が複数装備されており、また、糸保持部材４０も複数装備されている。
【００１９】
この糸保持部材４０で水中糸３の一端を挟持し、以降水中糸３を順次糸係止部材３０に係止していく。そして水中糸３の他方端を別の糸保持部材４０で挟持する。かように水中糸３を鮎釣り仕掛け作成装置１０にセットしたうえで、水中糸３の一方端部付近で空中糸２を編込み・接合し、他方端付近で中ハリス４を編込み・接合するものである。
【００２０】
かように、本考案によれば水中糸３を張った状態でセットでき、両手を使って簡単に空中糸２や中ハリス４その他目印糸等を編込み・接合できるものである。
【００２１】
また、水中糸３の両端において、糸保持部材４０で挟持するので、つまりは編込み部位より端部寄りで挟持するので、当該挟持部位で水中糸３が損傷しても水中糸と空中糸・中ハリスとの接合は影響を受けず、不都合はないものである。
【００２２】
更には、糸押圧部材５０を水中糸３の下方に介在させれば、水中糸３と基板２０との間に十分な隙間を形成可能となり、編込み作業を容易に行うことが可能となるものである。
【００２３】
請求項３に記載の考案では、糸係止部材３０を基板２０に対して回動可能に構成してあるので、水中糸３の糸係止部材３０への係止が容易に行えるものである。
【００２４】
請求項４に記載の考案では、糸保持部材４０を基板２０に対して、図１における矢印方向にスライド自在に設けてある。これにより水中糸３の長さ調整が可能となる。すなわち、糸係止部材３０全てに糸を係止すると、所望の水中糸３の長さを超えるような場合には、糸保持部材４０を基板２０の中心方向にスライドさせたうえで、一方端付近の糸係止部材３０には糸を係止せず水中糸３をセットすれば、水中糸３を短くすることが可能となるのである。
【００２５】
請求項５に記載の考案では、糸保持部材４０を基板２０に対する取付部４１と糸を保持するための挟持部４２より構成し、挟持部４２を取付部４１に対して揺動可能に設けてある。これにより、セットした水中糸３の張り具合の微調整が可能となるのである。
【図面の簡単な説明】
【００２６】
【図１】使用状態を示す説明図
【図２】糸保持部材の斜視図
【図３】糸保持部材を基板に取付けた状態を示す説明図
【図４】糸係止部材の斜視図
【図５】糸押圧部材の斜視図
【図６】鼻カン仕掛けの作成状態を示す説明図
【図７】鮎釣り用仕掛けの説明図
【考案を実施するための形態】
【００２７】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２８】
本考案に係る鮎釣り仕掛け作成装置１０は、基板２０、糸係止部材３０、糸保持部材４０及び糸押圧部材５０より成るものである。
【００２９】
基板１０は樹脂、金属あるいは木材より成る板材である。この基板２０には複数の図示されない孔部が設けられており、該孔部には糸係止部材が嵌合されるものである。
【００３０】
糸係止部材３０は図４に示されるように円柱形部材３１に横棒３２を設けてなるものである。この横棒３２は糸を係止する働きをすると共に、指を掛けることで糸係止部材３１を回動しやすくするために設けられている。
【００３１】
また、円柱形部材３１の底部には棒体３３が設けられており、当該棒体３３を基板２０に設けた孔部に差し込むことで基板２０に装備させるものである。この際、棒体３３の直径を孔部の直径よりも小さくすることで、糸係止部材３０を基板２０に対して回動可能に設けるものである。
【００３２】
糸保持部材４０は図２や図３に示すようにＬ型の板材である取付部４１と、糸を保持するための挟持部４２とにより成るものである。取付部４１と挟持部４２とはボルト・ナット等により成る緊締部材４５で固定されるものである。緊締部材４５を緩めれば挟持部４２を揺動させることが可能となるものである。
【００３３】
取付部４１には長孔４１ａが設けられており、この長孔４１ａにボルト・ナット等により成る緊締部材４３を基板２０を貫通させて差し込むことで、糸保持部材４０を基板２０に装備するものである。緊締部材４３を長孔４１ａに差し込む位置を変えることで、糸保持部材４０をスライド自在にするものである。なお、図１において糸保持部材４０は二個設けられているが、必ずしも両方共にスライド自在にする必要はなく、水中糸３をセットする際に、まずセットする側はスライド自在ではなく固定したものにしても良い。
【００３４】
挟持部４２は二枚の板材４２ａ，４２ｂとにより成るものである。板材４２ａ，４２ｂには、それぞれ弾性体４２ｃが貼着されている。弾性体４２ｃを設けてあるのは、水中糸３等の細い糸でも滑らず挟持可能とするためである。
【００３５】
板材４２ａ，４２ｂはボルト・ナット等により成る緊締部材４４により固定されるものである。
【００３６】
糸押圧部材５０は図５に示すように底板５１、底板５１に立設される柱材５２、柱材５２により底部より支持される板状の押圧部５３及び押圧部の両側面に設けられる横板５４より成るものである。押圧部５３の表面には糸を傷つけないために弾性体が被覆してある。横板５４はセットした糸が外れることを防止するために備えられるものである。
【実施例】
【００３７】
以下、本考案をより便利なものとする実施例を詳述する。
【００３８】
図１に示すように基板２０に針を入れておくための凹部６０を設ける。
【００３９】
糸を収納可能な円筒形部材７０と、円筒形部材７０を立てかけておくことが可能な、支持部材７１を装備させる。支持部材７１は柱材７２と柱材７２の頂部に設けた凹部７４を有する板材７３より成るものである。
【００４０】
これらの部材を付加することで、鮎釣り仕掛けの作成に必要な材料を手元に整理し装備することが可能となるのである。
【００４１】
また、棒体８０，８１，８２，８３を基板２０上に設け、糸を順次棒体８０，８１，８２，８３に掛け渡せば、糸の長さが例えば１ｍに成るように各棒体を位置決めすれば、糸の長さの計測を簡単に行えるようになる。
【００４２】
更には各糸係止部材３０・・の位置を工夫し、糸の長さを計測可能にすることも有用である。つまり、図７に示される、まず糸を係止する糸係止部材３０ａと次に糸を係止する糸係止部材３０ｂに糸を掛け渡すと、糸の長さが例えば２０ｃｍや２５ｃｍといったきりの良い長さになるよう位置決めし、以降に糸を係止する糸係止部材３０ｂと糸係止部材３０ｃに掛け渡される糸の長さ、糸係止部材３０ｃと糸係止部材３０ｄに掛け渡される糸の長さを同一長さになるように位置決めするのである。
【００４３】
また、図７に示すように糸保持部材４０，４０同士に渡り、直接糸を掛け渡せる位置に糸保持部材４０を移動・設置したうえで、鼻カン仕掛けを構成する糸５をセットし、当該糸５に鼻カンを取付けたり、あるいは中ハリスと接合する作業を行っても良い。鼻カン仕掛けを構成する糸５は太い糸であるため、糸保持部材４０で挟持しても損傷を受けることがないものである。
【符号の説明】
【００４４】
１０・・鮎釣り仕掛け作成装置
２０・・基板
３０・・糸係止部材
４０・・糸保持部材      ４１・・取付部      ４２・・挟持部
５０・・糸押圧部材
【図１】
0003198316.tif 000003
【図２】
0003198316.tif 000004
【図３】
0003198316.tif 000005
【図４】
0003198316.tif 000006
【図５】
0003198316.tif 000007
【図６】
0003198316.tif 000008
【図７】
0003198316.tif 000009